(57)【要約】【課題】カットプレーンラインの設定を容易にして操作者の負担を軽減することが可能な超音波診断装置を提供する。【解決手段】断層像データ生成部５１は超音波による走査によって取得された受信信号に基づいて断層像データを生成する。回転制御部８は、所定の回転速度に従って回転角度をライン生成部７に出力する。ライン生成部７は、その回転角度傾いたカットプレーンラインを生成する。表示処理部６は、断層像にカットプレーンラインを重ねて表示部９１に表示させる。カットプレーンラインは所定の回転速度で回転しながら断層像に重ねて表示される。カットプレーンラインの回転停止の指示が与えられると、３次元画像データ生成部５２はその指示が与えられた時点で、視点とカットプレーンラインとの間の画像を除去して、それ以外の領域に含まれるボリュームデータに基づいて３次元画像データを生成する。【選択図】図１
2008264219.tif 000002
【特許請求の範囲】
【請求項１】
３次元の領域に対して超音波を送信し、前記３次元の領域から反射波を受信するスキャン手段と、
前記スキャン手段が受信した受信信号に基づいて断層像データを生成する断層像データ生成手段と、
前記断層像データに基づく断層像を表示手段に表示させ、所定軸を回転軸としてカットプレーンラインを回転させながら前記断層像に重ねて表示させる表示処理手段と、
前記回転の停止指示を受け付けて、前記停止指示を受け付けた時点で、前記カットプレーンラインによって分けられた範囲のうち一方の範囲に含まれるデータに基づいて３次元画像データを生成する３次元画像データ生成手段と、
を有することを特徴とする超音波診断装置。
【請求項２】
前記表示処理手段は前記断層像データを基に、前記断層像の輝度値が所定値以下の範囲内で前記カットプレーンラインを回転させながら前記表示手段に表示させることを特徴とする請求項１に記載の超音波診断装置。
【請求項３】
コンピュータに、
３次元の領域に対する超音波の送受信によって取得された受信信号を受け付けて、前記受信信号に基づいて断層像データを生成する断層像データ生成機能と、
前記断層像データに基づく断層像を表示手段に表示させ、所定軸を回転軸としてカットプレーンラインを回転させながら前記断層像に重ねて表示させる表示処理機能と、
前記回転の停止指示を受け付けて、前記停止指示を受け付けた時点で、前記カットプレーンラインによって分けられた範囲のうち一方の範囲に含まれるデータに基づいて３次元画像データを生成する３次元画像データ生成機能と、
を実行させることを特徴とする超音波画像生成プログラム。
【発明の詳細な説明】
【技術分野】
【０００１】
この発明は、観察対象の３次元画像を生成する超音波診断装置、及び超音波画像生成プログラムに関する。
【背景技術】
【０００２】
被検体に対して超音波を送信し、被検体からの反射波に基づいて３次元画像を生成して表示することが可能な超音波診断装置が知られている。
【０００３】
観察したい領域（関心領域（ＲＯＩ））の周辺に、観察に不要な部分が存在すると遮蔽物となり、関心領域に含まれる３次元画像を観察することが困難になる。そこで、従来においては、関心領域に含まれない不要な画像を除去することが行われている。例えば、３次元画像を表示装置の画面上で回転させながら表示し、１平面ずつ不要な画像を除去することが行われていた（例えば特許文献１）。
【０００４】
例えば、観察対象の範囲に含まれる画像と不要な画像との境界を示すカットプレーンラインを２次元情報としての断層像上に設定し、視点とカットプレーンラインとの間に存在する画像を除去して、残った画像を３次元的に表示している。従来においては、操作者がカットプレーンラインの設定を行っていた。つまり、断層像上に表示されているカットプレーンラインを操作者が観察しながら、操作者がトラックボールなどのデバイスを用いることでカットプレーンラインを所望の角度に傾けて、観察対象の範囲に含まれる画像と不要な画像との境界を指定していた。
【０００５】
【特許文献１】特開２００６−２２３７１２号公報
【発明の開示】
【発明が解決しようとする課題】
【０００６】
以上のように、従来においては、操作者がカットプレーンラインを所望の角度に傾けることで、観察対象の範囲に含まれる画像と不要な画像との境界を指定していた。しかしながら、この操作は煩雑であった。特に、超音波診断装置を用いた撮影においては、片手に超音波プローブを持って、超音波プローブを被検体の体表に当てて撮影を行っている。このような状況下で、他方の手でトラックボールなどのデバイスを操作してカットプレーンラインを所望の角度に設定することは、非常に困難であった。また、超音波プローブの操作とカットプレーンラインの角度設定を同時に行う必要があったため、超音波プローブの操作に集中することが困難であった。
【０００７】
この発明は上記の問題を解決するものであり、カットプレーンラインの設定を容易にして操作者の負担を軽減することが可能な超音波診断装置、及び超音波画像生成プログラムを提供することを目的とする。
【課題を解決するための手段】
【０００８】
請求項１に記載の発明は、３次元の領域に対して超音波を送信し、前記３次元の領域から反射波を受信するスキャン手段と、前記スキャン手段が受信した受信信号に基づいて断層像データを生成する断層像データ生成手段と、前記断層像データに基づく断層像を表示手段に表示させ、所定軸を回転軸としてカットプレーンラインを回転させながら前記断層像に重ねて表示させる表示処理手段と、前記回転の停止指示を受け付けて、前記停止指示を受け付けた時点で、前記カットプレーンラインによって分けられた範囲のうち一方の範囲に含まれるデータに基づいて３次元画像データを生成する３次元画像データ生成手段と、を有することを特徴とする超音波診断装置である。
また、請求項３に記載の発明は、コンピュータに、３次元の領域に対する超音波の送受信によって取得された受信信号を受け付けて、前記受信信号に基づいて断層像データを生成する断層像データ生成機能と、前記断層像データに基づく断層像を表示手段に表示させ、所定軸を回転軸としてカットプレーンラインを回転させながら前記断層像に重ねて表示させる表示処理機能と、前記回転の停止指示を受け付けて、前記停止指示を受け付けた時点で、前記カットプレーンラインによって分けられた範囲のうち一方の範囲に含まれるデータに基づいて３次元画像データを生成する３次元画像データ生成機能と、を実行させることを特徴とする超音波画像生成プログラムである。
【発明の効果】
【０００９】
この発明によると、カットプレーンラインを回転させながら断層像に重ねて表示させ、回転の停止指示に従ってカットプレーンラインを設定することで、カットプレーンラインの操作による操作者の負担を軽減することが可能となる。
【発明を実施するための最良の形態】
【００１０】
［実施の形態］
（構成）
この発明の実施形態に係る超音波診断装置の構成について図１を参照して説明する。図１は、この発明の実施形態に係る超音波診断装置の概略構成を示すブロック図である。
【００１１】
この実施形態に係る超音波診断装置１は、超音波プローブ２、送受信部３、信号処理部４、画像データ生成部５、表示処理部６、ライン生成部７、回転制御部８、ユーザインターフェース（ＵＩ）９、輪郭抽出部１０、及び反転判断部１１を備えて構成されている。
【００１２】
超音波プローブ２は、複数の超音波振動子が２次元的に配置された２次元アレイプローブからなり、超音波によって３次元の範囲を走査（スキャン）することができる。また、超音波プローブ２には、複数の超音波振動子が所定方向（走査方向）に１列に配列された１次元アレイプローブであって、走査方向に直交する方向（揺動方向）に超音波振動子を機械的に揺動させることで３次元の範囲の走査が可能な１次元アレイプローブを用いても良い。
【００１３】
送受信部３は送信部と受信部とを備え、超音波プローブ２に電気信号を供給して超音波を発生させるとともに、超音波プローブ２が受信したエコー信号を受信する。
【００１４】
送受信部３の送信部は、図示しないクロック発生回路、送信遅延回路、及びパルサ回路を備えている。クロック発生回路は、超音波信号の送信タイミングや送信周波数を決めるクロック信号を発生する回路である。送信遅延回路は、超音波の送信時に遅延を掛けて送信フォーカスを実施する回路である。パルサ回路は、各振動子に対応した個別経路（チャンネル）の数分のパルサを内蔵し、遅延が掛けられた送信タイミングで駆動パルスを発生し、超音波プローブ２の各振動子に供給するようになっている。
【００１５】
また、送受信部３の受信部は、図示しないプリアンプ回路、Ａ／Ｄ変換回路、及び受信遅延・加算回路を備えている。プリアンプ回路は、超音波プローブ２の各振動子から出力されるエコー信号を受信チャンネルごとに増幅する。Ａ／Ｄ変換回路は、増幅されたエコー信号をＡ／Ｄ変換する。受信遅延・加算回路は、Ａ／Ｄ変換後のエコー信号に対して受信指向性を決定するのに必要な遅延時間を与え、加算する。その加算により、受信指向性に応じた方向からの反射成分が強調される。なお、この送受信部３によって加算処理された信号を「ＲＦデータ（または、生データ）」と称することとする。
【００１６】
なお、超音波プローブ２及び送受信部３が、この発明の「スキャン手段」の１例に相当する。
【００１７】
信号処理部４は、Ｂモード処理回路、ドプラ処理回路、及びカラーモード処理回路を備えている。送受信部３から出力されたＲＦデータは、いずれかの処理回路にて処理が施される。Ｂモード処理回路はエコーの振幅情報の映像化を行い、エコー信号からＢモード超音波ラスタデータを生成する。ドプラ処理回路はドプラ偏移周波数成分を取り出し、更にＦＦＴ処理等を施して血流情報を有するデータを生成する。カラーモード処理回路は動いている血流情報の映像化を行い、カラー超音波ラスタデータを生成する。血流情報には、速度、分散、パワー等の情報があり、血流情報は２値化情報として得られる。
【００１８】
画像データ生成部５は、断層像データ生成部５１と３次元画像データ生成部５２を備えて構成されている。断層像データ生成部５１は、直交座標系で表される画像を得るために、超音波ラスタデータを直交座標で表される画像データに変換する（スキャンコンバージョン処理）。例えば、断層像データ生成部５１は、Ｂモード超音波ラスタデータに基づいて２次元情報としての断層像データを生成し、その断層像データを表示処理部６に出力する。表示処理部６は、その断層像データに基づく断層像を表示部９１に表示させる。
【００１９】
３次元画像データ生成部５２は、断層像データ生成部５１によって生成された複数の断層像データに基づいてボリュームデータを生成する。そして、３次元画像データ生成部５２は、そのボリュームデータに対して、サーフェイスレンダリング処理や、ボリュームレンダリング処理や、ＭＰＲ処理（Ｍｕｌｔｉ  Ｐｌａｎｎａｒ  Ｒｅｃｏｎｓｔｒｕｃｔｉｏｎ）などの画像処理を施すことにより、３次元画像データや任意断面における画像データ（ＭＰＲ画像データ）などの超音波画像データを生成する。
【００２０】
また、超音波プローブ２と送受信部３によってボリュームスキャンを実行することでボリュームデータが取得された場合、３次元画像データ生成部５２は、そのボリュームデータに対してボリュームレンダリング処理などの画像処理を施すことにより、３次元画像データなどの超音波画像データを生成する。
【００２１】
表示処理部６は、画像データ生成部５から出力された断層像データに基づく断層像や、３次元画像データに基づく３次元画像を表示部９１に表示させる。さらに、後述するライン生成部７によって生成されたカットプレーンラインを断層像に重ねて表示部９１に表示させる。
【００２２】
ライン生成部７は、３次元画像データを生成する範囲と画像を除く範囲の境界を指定するためのカットプレーンラインを作成する。例えば、ライン生成部７は、所定の長さを有するカットプレーンラインを生成する。このカットプレーンラインは、直線状の線となって表示部９１に表示される。ライン生成部７は、カットプレーンラインの座標情報を表示処理部６に出力し、表示処理部６は、そのカットプレーンラインの座標情報に従って、カットプレーンラインを断層像に重ねて表示部９１に表示させる。このカットプレーンラインは、表示部９１上において回転しながら表示される。この回転の制御は、回転制御部８によって行なわれる。
【００２３】
回転制御部８は、所定軸を回転軸としてカットプレーンラインの回転運動を制御する。回転制御部８は、予め設定された回転速度に従って、カットプレーンラインを予め設定された方向に回転させる。この回転速度は、操作者によって任意の速度に設定することができる。例えば、回転制御部８は、カットプレーンラインの中点を回転軸として、予め設定された方向にカットプレーンラインを３６０度に亘って回転させる。なお、初期設定の角度として、カットプレーンラインが直交座標系の１つの軸に平行になるように、回転制御部８は回転角度を制御する。回転制御部８は、予め設定された回転速度に従って、所定時間ごとの回転角度をライン生成部７に出力する。ライン生成部７はその回転角度に従って、その回転角度分傾けたカットプレーンラインを生成し、そのカットプレーンラインの座標情報を表示処理部６に出力する。
【００２４】
なお、この実施形態において、表示処理部６、ライン生成部７、及び回転制御部８が、この発明の「表示処理手段」の１例を構成する。
【００２５】
ここで、表示部９１に表示されるカットプレーンラインの１例について図２を参照して説明する。図２は、断層像上におけるカットプレーンラインの動きを説明するための画面の図である。この実施形態では、１例として、胎児の画像を取得して表示する場合について説明する。
【００２６】
表示処理部６は、超音波による走査によって生成された断層像データを断層像データ生成部５１から受けて、その断層像データに基づく断層像を表示部９１に表示させる。例えば図２に示すように、表示処理部６は、胎児の画像１０１が表された断層像１００を表示部９１に表示させる。そして、表示処理部６は、予め設定された初期位置に、ライン生成部７によって生成されたカットプレーンライン１０２を断層像１００に重ねて表示部９１に表示させる。カットプレーンライン１０２によって指定されたラインが、３次元画像データを生成する範囲と画像が不要な範囲との境界を表している。
【００２７】
ライン生成部７は、回転制御部８からカットプレーンラインの回転角度を受けるたびに、その回転角度に従って、その回転角度分傾けた新たなカットプレーンラインを生成する。表示処理部６は、ライン生成部７から新たなカットプレーンラインの座標情報を受けると、新たなカットプレーンラインを表示部９１に表示させる。
【００２８】
回転制御部８は予め設定された回転速度に従って、３６０度に亘ってカットプレーンラインの回転角度をライン生成部７に出力し、ライン生成部７は新たな回転角度に傾いたカットプレーンラインを次々と生成する。そして、表示処理部６は、ライン生成部７によって生成された新たなカットプレーンラインを断層像１００に重ねて表示部９１に表示させる。これにより、予め設定された回転速度で、所定方向に回転するカットプレーンラインが表示部９１に表示される。
【００２９】
図２に示す例では、表示処理部６は、矢印Ａの方向（実線の方向）にカットプレーンライン１０２を３６０度に亘って回転させる。表示制御部６は、カットプレーンライン１０２の回転を繰り返す。カットプレーンライン１０２の回転方向（矢印Ａの方向）は回転制御部８によって制御される。また、矢印Ａの方向とは逆の方向である矢印Ｂの方向（破線の方向）に、カットプレーンライン１０２を回転させても良い。
【００３０】
なお、カットプレーンライン１０２を表示部９１上で平行移動させても良い。例えば、操作者が操作部９２を用いて、カットプレーンラインの上下方向、左右方向への移動指示を与えると、ライン生成部７は、その移動指示に従ってカットプレーンラインを生成する。表示処理部６は、そのカットプレーンラインを表示部９１に表示させる。
【００３１】
そして、操作者が操作部９２を用いてカットプレーンラインの停止指示を与えると、その停止指示がライン生成部７に出力される。ライン生成部７はその停止指示が与えられた時点の回転角度に傾いたカットプレーンラインの座標情報を３次元画像データ生成部５２に出力する。例えば、操作部９２に停止ボタンを設置し、操作者がその停止ボタンを押下することで、カットプレーンラインの停止指示を与える。この停止指示はライン生成部７に出力される。また、断層像を静止させて表示部９１に表示させるためのフリーズボタンを操作部９２に設置し、操作者がそのフリーズボタンを押下することで、断層像の静止指示とカットプレーンラインの停止指示を与えるようにしても良い。
【００３２】
３次元画像データ生成部５２は、停止したときのカットプレーンラインの座標情報をライン生成部７から受けると、ボリュームデータにおいて、そのカットプレーンラインを境界にして分けられた範囲のうち、一方の範囲に含まれるボリュームデータに対してボリュームレンダリングを施すことにより、３次元画像データを生成する。例えば、３次元画像データ生成部５２は、ボリュームデータにおいて、ボリュームレンダリング実行時における視点とカットプレーンラインとの間の範囲に含まれるデータを除いて、それ以外の範囲に含まれるデータに基づいて３次元画像データを生成する。
【００３３】
３次元画像データ生成部５２によって生成された３次元画像データが表示処理部６に出力される。表示処理部６は、その３次元画像データに基づく３次元画像を表示部９１に表示させる。例えば図２に示すように、表示処理部６は、３次元画像１０３を表示部９１に表示させる。また、表示処理部６は、断層像１００と３次元画像１０３を同時に表示部９１に表示させても良い。
【００３４】
以上のように、カットプレーンラインを自動的に回転させて表示部９１に表示させ、操作者の停止指示に従って所望の位置にカットプレーンラインを設定することで、カットプレーンの操作による操作者の負担を軽減することが可能となる。すなわち、カットプレーンラインは自動的に回転し、操作者は停止指示のみを与えればカットプレーンラインの設定が可能となるため、超音波プローブ２の操作に集中することが可能となる。
【００３５】
上述した実施形態においては、超音波診断装置１は、カットプレーンラインを３６０度に亘って回転させながら表示部９１に表示させている。また、この実施形態に係る超音波診断装置１は、断層像の輝度値が所定値（閾値）以下の範囲内でカットプレーンラインを反復させながら表示部９１に表示させても良い。
【００３６】
輪郭抽出部１０は、断層像データ生成部５１から断層像データを受けると、断層像データを構成する各画素の輝度値が予め設定された所定輝度値（閾値）以上の範囲を検出し、その範囲の輪郭を抽出する。そして、輪郭抽出部１０は、その輪郭の座標情報を反転判断部１１に出力する。上記閾値は、観察対象の範囲（関心領域（ＲＯＩ））と、観察に不要な範囲とを区別するための輝度値である。すなわち、輝度値が閾値以上の範囲は観察対象の範囲に含まれ、輝度値が閾値以下の範囲は観察対象以外の範囲となる。
【００３７】
図２に示す例においては、胎児１０１が観察対象であるため、胎児１０１を表す画像の輝度値を閾値として輪郭抽出部１０に設定する。これにより、輪郭抽出部１０は、胎児１０１の輪郭を抽出することになる。
【００３８】
反転判断部１１は、ライン生成部７からカットプレーンラインの座標情報を受け、さらに、輪郭抽出部１０から所定輝度値（閾値）以上の範囲の輪郭の座標情報を受けると、それらの座標情報に基づいて、カットプレーンラインの回転を反転させるか否かを判断する。すなわち、反転判断部１１は、所定方向に回転しているカットプレーンラインを逆の方向に回転させるか否かを判断する。例えば、反転判断部１１は、上記座標情報に基づいて、カットプレーンラインの一部が所定輝度値（閾値）以上の範囲の輪郭に重なると、カットプレーンラインを反転させるための反転指示を回転制御部８に出力する。回転制御部８はこの反転指示に従ってカットプレーンラインの回転方向を反対方向にし、所定の回転速度に従って回転角度をライン生成部７に出力する。これにより、カットプレーンラインが反対方向に回転しながら表示部９１に表示されることになる。
【００３９】
図２に示す例において、回転制御部８、ライン生成部７、及び表示処理部６によって、カットプレーンライン１０２を矢印Ａの方向に回転させ、カットプレーンライン１０２の一部が、所定輝度値（閾値）以上の範囲の輪郭に重なると、反転判断部１１は、カットプレーンラン１０２の反転指示を回転制御部８に出力する。例えば、カットプレーンライン０２の一部が胎児１０１の輪郭に重なると、反転判断部１１は、カットプレーンライン１０２の反転指示を回転制御部８に出力する。
【００４０】
回転制御部８はその反転指示に従って、矢印Ｂの方向に回転するように回転方向を変えて、回転角度をライン生成部７に出力する。ライン生成部７は回転制御部８から回転角度を受けると、その回転角度分傾いたカットプレーンラインを生成し、表示処理部６に出力する。表示処理部６は、そのカットプレーンラインを断層像１００に重ねて表示部９１に表示させる。これにより、カットプレーンライン１０２は、矢印Ａの反対方向である矢印Ｂの方向に回転させられることになる。
【００４１】
そして、反転判断部１１は、カットプレーンラインが所定輝度値（閾値）以上の範囲の輪郭に重なるたびに、カットプレーンラインの反転指示を回転制御部８に与える。これにより、カットプレーンラインが所定輝度値（閾値）以上の範囲の輪郭に重なるたびに、反対の方向に回転させられることになる。
【００４２】
以上のように、カットプレーンラインの一部が所定輝度値（閾値）以上の範囲の輪郭に重ねるたびに、カットプレーンラインを反対の方向に回転させることで、所定輝度値（閾値）以下の範囲内でカットプレーンラインを反復させることが可能となる。所定輝度値（閾値）以上の範囲は観察対象の範囲であるため、その観察対象の範囲を避けて、観察対象以外の範囲内でカットプレーンラインを反復させることが可能となる。これにより、観察対象以外の範囲内でのみ、カットプレーンラインの設定が可能となるため、観察対象の範囲を避けて、カットプレーンラインを容易に設定することが可能となる。そして、観察対象の範囲に含まれる画像を除去せずに、観察対象の範囲に含まれる３次元画像データを生成することが可能となる。
【００４３】
そして、上述したように、操作者が操作部９２を用いてカットプレーンラインの停止指示を与えると、ライン生成部７は、その停止指示が与えられた時点のカットプレーンラインの座標情報を３次元画像データ生成部５２に出力する。３次元画像データ生成部５２は、その座標情報に基づいて、視点とカットプレーンラインとの間の範囲に含まれるデータを除いて、それ以外の範囲に含まれるデータに基づいて３次元画像データを生成する。
【００４４】
なお、輪郭抽出部１０と反転判断部１１を超音波診断装置１に設置しなくても良い。輪郭抽出部１０と反転判断部１１を超音波診断装置１に設置しない場合は、カットプレーンラインを３６０度に亘って回転させながら表示部９１に表示させることになる。
【００４５】
ユーザインターフェース９は表示部９１と操作部９２を備えて構成されている。表示部９１はＣＲＴや液晶ディスプレイなどのモニタで構成されており、画面上に断層像、３次元画像又は血流情報などが表示される。操作部９２はキーボード、マウス、トラックボール又はＴＣＳ（Ｔｏｕｃｈ  Ｃｏｍｍａｎｄ  Ｓｃｒｅｅｎ）などで構成されており、操作者の操作によってカットプレーンラインの停止指示、スキャン条件の設定、関心領域（ＲＯＩ）の設定などの各種指示や設定が行われる。
【００４６】
なお、画像データ生成部５、表示処理部６、ライン生成部７、回転制御部８、輪郭抽出部１０、及び反転判断部１１は、ＣＰＵと、ＲＯＭ、ＲＡＭなどの記憶装置を備えて構成されている。記憶装置には、画像データ生成プログラム、表示処理プログラム、ライン生成プログラム、回転制御プログラム、輪郭抽出プログラム、及び反転判断プログラムが記憶されている。ＣＰＵが各プログラムを実行することで、画像データ生成部５の機能、表示処理部６の機能、ライン生成部７の機能、回転制御部８の機能、輪郭抽出部１０の機能、及び反転判断部１１の機能を実行する。つまり、ＣＰＵが画像データ生成プログラムを実行することで、断層像データや３次元画像データなどの超音波画像データを生成する。また、ＣＰＵが表示処理プログラムを実行することで、断層像にカットプレーンラインを重ねて表示部９１に表示させる。また、ＣＰＵがライン生成プログラムを実行することで、所定角度に傾いたカットプレーンラインを生成する。また、ＣＰＵが回転制御プログラムを実行することで、所定の回転速度に従ってカットプレーンラインの回転角度を決定する。また、ＣＰＵが輪郭抽出プログラムを実行することで、断層像データに対して閾値処理を行って所定範囲の輪郭を抽出する。また、ＣＰＵが反転判断プログラムを実行することで、カットプレーンラインの座標と輪郭の座標とを比べて、カットプレーンラインの反転の必要性を判断する。
【００４７】
（動作）
次に、この発明の実施形態に係る超音波診断装置１の動作について説明する。
【００４８】
（第１の動作態様）
この発明の実施形態に係る超音波診断装置１による第１の動作態様について図３を参照して説明する。図３は、この発明の実施形態に係る超音波診断装置による第１の動作態様を示すフローチャートである。
【００４９】
（ステップＳ０１）
まず、超音波プローブ２によって被検体に超音波を送信し、３次元の領域を超音波で走査する。
【００５０】
（ステップＳ０２）
断層像データ生成部５１は、超音波による走査によって取得された受信信号に基づいて、所定断面に沿った断層像データを生成する。
【００５１】
（ステップＳ０３）
ライン生成部７は、回転制御部８から出力された回転角度に従って、その回転角度分傾いたカットプレーンラインを生成する。
【００５２】
（ステップＳ０４）
表示処理部６は、断層像データ生成部５１にて生成された断層像データを受け、さらに、ライン生成部７にて生成されたカットプレーンラインを受けると、断層像にカットプレーンラインを重ねて表示部９１に表示させる。例えば図２に示すように、表示処理部６は断層像１００にカットプレーンライン１０２を重ねて表示部９１に表示させる。
【００５３】
そして、超音波プローブ２と送受信部３によって超音波による走査を継続し、断層像データ生成部５１は、新たな断層像データを生成し続ける。また、回転制御部８は、所定の回転速度に従って、回転角度をライン生成部７に出力する。ライン生成部７は、回転制御部８から回転角度を受けるたびに、新たなカットプレーンラインを生成する。そして、表示処理部６は、新たに生成された断層像データに基づく断層像に、新たなカットプレーンラインを重ねて表示部９１に表示させる。これにより、表示部９１には、カットプレーンライン１０２が所定の回転速度で回転しながら断層像１００に重ねて表示される。この第１の動作態様においては、回転制御部８は、３６０度に亘って回転角度をライン生成部７に出力する。これにより、表示部９１には、カットプレーンライン１０２が３６０度に亘って回転しながら表示される。
【００５４】
（ステップＳ０５）
操作者は表示部９１に表示されているカットプレーンライン１０２の動きを観察し、カットプレーンライン１０２の停止指示を与えるか否かを判断する。そして、所望の位置（角度）にカットプレーン１０２が表示されると、操作者は操作部９２を用いてカットプレーンライン１０２の停止指示を与える。
【００５５】
（ステップＳ０６）
操作者が操作部９２を用いて停止指示を与えると（ステップＳ０５、Ｙｅｓ）、ライン生成部７はその停止指示を受けて、その時点の回転角度に傾いたカットプレーンラインの座標情報を３次元画像データ生成部５２に出力する。一方、操作者が停止指示を与えないと（ステップＳ０５、Ｎｏ）、ステップＳ０１からステップＳ０４までの処理を継続する。
【００５６】
（ステップＳ０７）
３次元画像データ生成部５２は、カットプレーンラインの座標情報を受けると、ボリュームデータにおいて、カットプレーンラインによって分けられる範囲のうち、視点とカットプレーンとの間にあるデータを除いて、それ以外の範囲に含まれるデータに基づいて３次元画像データを生成する。
【００５７】
（ステップＳ０８）
表示処理部６は、３次元画像データに基づく３次元画像を表示部９１に表示させる。例えば図２に示すように、表示処理部６は、３次元画像１０３を表示部９１に表示させる。
【００５８】
以上にように、カットプレーンラインを自動的に回転させることで、操作者は停止指示を与えるだけで所望の位置にカットプレーンラインを設定することができるため、操作者の負担を軽減することが可能となる。これにより、超音波プローブ２の操作に集中することが可能となる。
【００５９】
（第２の動作態様）
次に、この発明の実施形態に係る超音波診断装置１による第２の動作態様について図４を参照して説明する。図４は、この発明の実施形態に係る超音波診断装置による第２の動作態様を示すフローチャートである。
【００６０】
（ステップＳ１０）
まず、超音波プローブ２によって被検体に超音波を送信し、３次元の領域を超音波で走査する。
【００６１】
（ステップＳ１１）
断層像データ生成部５１は、超音波による走査によって取得された受信信号に基づいて、所定断面に沿った断層像データを生成する。
【００６２】
（ステップＳ１２）
ライン生成部７は、回転制御部８から出力された回転角度に従って、その回転角度分傾いたカットプレーンラインを生成する。
【００６３】
（ステップＳ１３）
表示処理部６は、断層像データ生成部５１にて生成された断層像データを受け、さらに、ライン生成部７にて生成されたカットプレーンラインを受けると、断層像にカットプレーンラインを重ねて表示部９１に表示させる。例えば図２に示すように、表示処理部６は断層像１００にカットプレーンライン１０２を重ねて表示部９１に表示させる。
【００６４】
そして、超音波プローブ２と送受信部３とによって超音波による走査を継続し、断層像データ５１は、新たな断層像データを生成し続ける。また、回転制御部８は、所定の回転速度に従って、回転角度をライン生成部７に出力する。ライン生成部７は、回転制御部８から回転角度を受けるたびに、新たなカットプレーンラインを生成する。そして、表示処理部６は、新たに生成された断層像データに基づく断層像に、新たなカットプレーンラインを重ねて表示部９１に表示させる。これにより、表示部９１には、カットプレーンライン１０２が所定の回転速度で回転しながら断層像１００に重ねて表示される。
【００６５】
（ステップＳ１４）
一方、輪郭抽出部１０は、断層像データ生成部５１から断層像データを受けて、所定輝度値（閾値）以上の範囲を検出し、その範囲の輪郭を抽出する。図２に示す例においては、輪郭抽出部１０は、胎児１０１の輪郭を抽出する。
【００６６】
（ステップＳ１５）
そして、反転判断部１１は、ライン生成部７からカットプレーンラインの座標情報を受け、さらに、輪郭抽出部１０から所定輝度値（閾値）以上の範囲の輪郭の座標情報を受けて、それら座標情報に基づいて、カットプレーンラインを反転させるか否かを判断する。
【００６７】
（ステップＳ１５、ステップＳ１６）
そして、反転判断部１１が上記座標情報に基づいて、カットプレーンラインの一部が所定輝度値（閾値）以上の範囲の輪郭に重なると判断した場合（ステップＳ１５、Ｙｅｓ）、反転判断部１１は、カットプレーンラインの反転指示を回転制御部８に出力する（ステップＳ１６）。一方、カットプレーンラインの一部が所定輝度値（閾値）以上の範囲の輪郭に重ならない場合（ステップＳ１５、Ｎｏ）、ステップＳ１０からステップＳ１４までの処理を継続する。
【００６８】
（ステップＳ１７）
回転制御部８は反転指示に従って、カットプレーンラインの回転方向を反対方向にして、所定の回転速度に従って回転角度をライン生成部７に出力する。
【００６９】
そして、ライン生成部７は、回転制御部８から回転角度を受けると、その回転角度分傾いたカットプレーンラインを生成し、表示制御部６に出力する（ステップＳ１２）。また、超音波プローブ２と送受信部３とによって超音波による走査を継続し（ステップＳ１０）、断層像データ生成部５１は、新たな断層像データを生成し続ける（ステップＳ１１）。このように、ステップＳ１０からステップＳ１７の動作を繰り返して実行する。
【００７０】
以上のように、カットプレーンラインが所定輝度値（閾値）以上の範囲の輪郭に重なるたびに、カットプレーンラインを反対の方向に回転させることで、所定輝度値（閾値）以下の範囲内でカットプレーンラインを反復させることが可能となる。これにより、観察対象の範囲を避けて、カットプレーンラインを容易に設定することが可能となる。
【００７１】
そして、操作者は表示部９１に表示されているカットプレーンライン１０２の動きを観察し、所望の位置（角度）にカットプレーンライン１０２が表示されると、操作部９２を用いてカットプレーンライン１０２の停止指示を与える。ライン生成部７はカットプレーンラインの停止指示を受けると、その時点の回転角度に傾いたカットプレーンラインの座標情報を３次元画像データ生成部５２に出力する。
【００７２】
３次元画像データ生成部５２は、カットプレーンラインの座標情報を受けると、ボリュームデータにおいて、カットプレーンラインによって分けられた範囲のうち、視点とカットプレーンラインとの間にあるデータを除いて、それ以外の範囲に含まれるデータに基づいて３次元画像データを生成する。表示処理部６は、３次元画像データに基づく３次元画像を表示部９１に表示させる。
【図面の簡単な説明】
【００７３】
【図１】この発明の実施形態に係る超音波診断装置の概略構成を示すブロック図である。
【図２】断層像上におけるカットプレーンラインの動きを説明するための画面の図である。
【図３】この発明の実施形態に係る超音波診断装置による第１の動作態様を示すフローチャートである。
【図４】この発明の実施形態に係る超音波診断装置による第２の動作態様を示すフローチャートである。
【符号の説明】
【００７４】
１  超音波診断装置
２  超音波プローブ
３  送受信部
４  信号処理部
５  画像データ生成部
６  表示処理部
７  ライン生成部
８  回転制御部
９  ユーザインターフェース
１０  輪郭抽出部
１１  反転判断部
５１  断層像データ生成部
５２  ３次元画像データ生成部
９１  表示部
９２  操作部
【図１】
2008264219.tif 000003
【図２】
2008264219.tif 000004
【図３】
2008264219.tif 000005
【図４】
2008264219.tif 000006